(57)【要約】【課題】  調整できる鎧戸のような遮蔽結構を提供する。【解決手段】  サイドフレーム１２は矩形の枠で包囲され、サイドフレーム１２に羽根２０は排列して設置され、連動のアングルロッド３０はＬ型の断面を持つロッド状結構であり、制動結構４０は連続して連動アングルロッド３０の外側に設置される制動溝４１１が少なくとも二つあり、羽根を垂直クローズド状態、半開状態、全開状態へ制御し、しかも羽根２０を予定の角度に制動させる遮蔽結構である。【選択図】    図３
0003103004.tif 000002
【実用新案登録請求の範囲】
【請求項１】
遮蔽結構において、
サイドフレーム（１２）は矩形の枠で包囲され、
サイドフレーム（１２）に羽根（２０）は排列して設置され、羽根（２０）毎の一端にピン（２１）がセットされ、もう一端に調節プラグ（２２）がセットされ、ピン（２１）および調節プラグ（２２）の別端は回転可能に両側のサイドフレーム（１２）の向き合う表面に枢設されて通過し、調節プラグ（２２）のロッド外縁に直径の方向に沿って円いボタン（２２１）が突出してあり、
連動のアングルロッド（３０）はＬ型の断面を持つロッド状結構であり、それは少なくとも一つの固定のユニット（３１）で、長い孔（３２）を通過して前記円いボタン（２２１）の隣接したサイドフレーム（１２）に設置され、円いボタン（２２１）に対応したエッジに円いボタン（２２１）を嵌め込む用のロック溝（３３）が設置され、
制動結構（４０）は連続して連動アングルロッド（３０）の外側に設置される制動溝（４１１）が少なくとも二つあり、また回転可能にサイドフレーム（１２）の対応する位置に位置決めをするフックロッド（４２）があり、フックロッド（４２）の一端をその一つの制動溝（４１１）に入れると連動するアングルロッド（３０）を位置決めさせ、その別端を経由してユーザが作動および操作可能であり、
スプリング（４４）はフックロッド（４２）が常態で制動溝（４１１）を押すという作用力を提供し、
止めユニット（４７）はサイドフレーム（１２）がフックロッド（４２）に隣接する箇所に設置され、連動するアングルロッド（３０）の回復しようとする作用力を相殺することを特徴とする遮蔽結構。
【請求項２】
連動アングルロッド（３０）はさらに制動溝（４１１）の対応位置に遮蔽薄片（４５）を設け、ユーザが作動および操作可能なフックロッド（４２）の一端は遮蔽薄片（４５）の外へ延ばされることを特徴とする請求項１に記載の遮蔽結構。
【請求項３】
長い孔（３２）のエッジにおける連動アングルロッド（３０）の表面に浮かべマーク（５１）を追加し、さらに固定ユニット（３１）の中心の位置決めマークとし、羽根（２０）が半開状態になる場合に浮かべマーク（５１）が固定ユニット（３１）の中心と水平に向き合うことを特徴とする請求項１に記載の遮蔽結構。
【考案の詳細な説明】
【技術分野】
【０００１】
本考案は、遮蔽の結構に関するものであり、詳しく言えばその遮蔽結構はついたて、鎧戸、家具の扉などの物品に応用される。その主体は、サイドフレームにいくつかの動く羽根が排列されている。羽根はユーザの制御で両端を中心として予定する角度まで回転でき、しかも位置決めをする。
【背景技術】
【０００２】
ついたて、鎧戸、家具の扉などの箇所も、鎧戸のような遮蔽結構を採用する。その羽根は固定式又は活動式がある。固定式ならば、通常、羽根を微小の幅の傾斜角に設定するので、羽根毎の間に固定した隙間が出てくる。活動式ならば、ユーザは自分で羽根を制御し、開又は閉の状態にさせる。勿論、活動式の鎧戸遮蔽結構は固定式よりも、使用のニーズを満足することができる。
【０００３】
本考案者は上述の羽根の開閉、位置決めを制御する結構が次の条件に合えば、実用的な設計であると考えた。
予定数量の羽根は一致した開閉作動をし、開けた羽根の位置決めをすることができる。
羽根の開閉、位置決めを制御する結構をなるべくコンパクトにし、扁平化する。それにより、作業者が利便にそれを組み立てることができる。制御結構が複雑過ぎると、製品のコストが大幅にアップしてしまうという欠点がある。また、突出し過ぎたり大き過ぎたりすると、製品を収納、包装しにくくなるという欠点がある。
【考案の開示】
【考案が解決しようとする課題】
【０００４】
よって、本考案は鎧戸遮蔽結構に設置される活動式羽根の方案について、細部の設計を行い、その設計により羽根は一致した開閉作動をし、開けられたときに予定の角度にセットされる。
【０００５】
本考案により、羽根の開閉、位置決めの結構はさらにコンパクトになり、扁平化するので、製品が利便に収納、包装、運搬でき、簡易に組み立てることができる。
したがって、本考案の主な目的は調整できる鎧戸のような遮蔽結構を提供することにある。
【課題を解決するための手段】
【０００６】
調整できる鎧戸のような遮蔽結構は主に次の要素から形成される。
サイドフレームは矩形の枠で包囲される。
羽根は排列してサイドフレームに設置される。羽根毎の一端に、ピンがセットされる。もう一端に、調節プラグがセットされる。ピンおよび調節プラグの別端は回転できるように、両側のサイドフレームの向き合う表面に枢設、通過する。調節プラグのロッド外縁に、直径の方向に沿って、円いボタンが突出してある。
【０００７】
連動するアングルロッドはＬ型の断面を持つロッド状結構である。それは少なくとも一つの固定のユニットで長い孔を通過して、前掲円いボタンの隣接したサイドフレームに設置される。円いボタンに対応したエッジに、円いボタンを嵌め込む用のロック溝が設置される。
【０００８】
制動結構は、連続するように連動アングルロッドの外側に設置される制動溝が少なくとも二つある。また、回転できるようにサイドフレームの対応する位置に位置決めをするフックロッドがある。フックロッドの一端をその一つの制動溝に入れると、連動するアングルロッドの位置決めをさせる。その別端を経由して、ユーザが作動および操作できる。
【０００９】
本考案により、遮蔽結構の予定数量の羽根が一致して垂直クローズド状態、半開状態（羽根が約３５〜４５度傾斜された状態）、全開状態（羽根が約７０〜８０度傾斜された状態）に制御され、しかも羽根を予定の角度に制動させる。
【００１０】
本考案により、羽根の開閉を制御する結構は非常に精密で簡単なので、組み立ての困難度を低下させ、組み立てるときの人力、作業時間、コストを減らす。また、扁平化した外観により、製品が簡易に折ることができ、収納、包装、運搬される。
【考案を実施するための最良の形態】
【００１１】
本考案の目的、特徴および効果などを、以下にさらに具体的な実施例に図面をあわせて詳しく説明する。
まずは図１を参照する。本考案はついたてを実施例として、鎧戸のような遮蔽結構およびその羽根の制御技術を紹介する。ついたては少なくとも二つのついたてユニット１０をヒンジ１１で接続する。ついたてユニット１０毎はサイドフレーム１２を具有する。サイドフレーム１２の中における空間はついたてユニット１０の高さにより、少なくとも二つの遮蔽結構１３に区画される。遮蔽結構１３は次の要素から形成される。
【００１２】
図２を参照する。いくつかの羽根２０は横方向に排列され配置される。羽根毎のその一端に、ピン２１が設けられる。もう一端に、調節プラグ２２がある。ピン２１および調節プラグ２２は一端が羽根２０の左右端上方の約三分の一の位置に枢設、通過される。もう一端は回転できるように、両側のサイドフレーム１２の向き合う表面に枢設、通過される。羽根２０毎の上下辺はそれぞれエッジ２３、２４を設ける。羽根２０毎が垂直状態となるときに、下の位置の羽根の上エッジ２３は上の位置の下エッジ２４にもたれる。サイドエッジが相互に重畳して、美観ではないギャップを除いて、外観をなるべく整然と維持する。調節プラグ２２のプラグロッドの外エッジは羽根２０の正面と同じ方向で、直径の方向に沿って円いボタン２２１を延ばす。羽根２０の末端に対応して、転換方向のサブプラグロッド２２２を設ける。サブプラグロッド２２２の開放端が羽根２０の板端に挿入するので、調節プラグ２２が羽根２０の中で滑って空転することを避ける。
【００１３】
図２、図３および図４を参照する。連動アングルロッド３０はＬ型断面を持つロッド状の結構である。それはいくつかの固定のユニット３１（例えばねじ）で、長い孔３２を通過して、前掲円いボタン２２１の隣接したサイドフレーム１２に設置される。サイドフレーム１２の内側のエッジに、いくつかの開放のロック溝３３が配置され、上述の円いボタン２２１を一つずつそれに嵌め込む。
【００１４】
図４および図５を参照する。制動結構４０は、連続して連動アングルロッド３０の外側に設置される制動溝４１１、４１２、４１３がある。また、回転できるようにサイドフレーム１２の対応する位置に位置決めをするフックロッド４２がある。フックロッド４２の方向転換部を経由して、ユニット４３およびトークスプリング４４を通過する。ユニット４３がサイドフレーム１２にセットされる。フックロッド４２がユニット２３を中心として回転できる。その短い端４２１をその一つの制動溝４１１、４１２、４１３に入れるが、その長い端４２２を経由して、ユーザが作動および操作できる。スプリング４４の一つ足４４１はサイドフレーム１２の固定ユニット４６に掛けられるが、もう一つの足４４２がフックロッド４２の短い端４２１に掛けられる。スプリングの張力で、フックロッド４２を制動溝４１１、４１２、４１３に押す力が提供される。そして、逆時針の方向に沿って微小の幅で長い端４２２を作動させるので、短い端４２１は逆時針の方向に円周運動し、制動溝４１１、４１２、４１３から離れる。また、フックロッド４２の短い端４２１をその一つ制動溝４１１、４１２、４１３の既定位置に嵌め込むことができる。短い端４２１の辺に隣接するサイドフレーム１２に止めユニット４７が設置される。止めユニット４７はサイドフレーム１２に取り付けられたねじであり、すべてフックロッド４２の時針方向の回転を阻止する。
【００１５】
連動アングルロッド３０はさらに、制動溝４１１、４１２、４１３の対応位置に、遮蔽薄片４５を設ける。制動溝４１および部分のフックロッド４２はその局部の美観をよくする。フックロッドの長い端４２２の末端が遮蔽薄片４５の外へ延ばされるので、ユーザが作動および操作できる。
【００１６】
上述の構造により、羽根２０はユーザの制御で、垂直クローズド状態、半開状態（羽根が約３５〜４５度傾斜された状態）、全開状態（羽根が約７０〜８０度傾斜された状態）に呈することができる。
垂直クローズド状態ならば、図６Ａ、図６Ｂの示すように、羽根２０毎が垂直となる。上、下エッジ２３、２４が相互に重畳してある。連動アングルロッド３０の固定ユニット３１は長い孔３２の底端に配置される。フックロッド４２の短い端４２１は一番下の制動溝４１１に嵌め込む。
【００１７】
半開状態ならば、図７Ａ、図７Ｂの示すようになる。まずユーザは片手で、フックロッド４２の長い端４２２を逆時針の方向に沿って外へ作動させ、短い端４２１が制動溝４１１から離れる。そのときに連動アングルロッド３０は制動されず、活動の状態になる。もう一本の手で連動アングルロッド３０を制御し、下へ微小の幅で移動させる。固定ユニット３１が約長い孔３２の中間位置に入れば、下へ移動している連動アングルロッド３０のロック溝３３は円いボタン２２１を作動させ、時針の円周に沿って、予定の角度まで移動させる。そして、調節プラグ２２もそれにつれて、時針方向に沿って、予定の角度まで回転して羽根２０を傾斜させ、３５〜４５度の半開状態となる。ここまで、ユーザはフックロッド４２を外して、スプリング４４の弾性回復力でフックロッド４２を回復させる。その短い端４２１が中間位置の制動溝４１２に入る。連動アングルロッド３０はフックロッド４２にロックされ固定される。ロック溝３３を利用してすべての円いボタン２２１を現時点の位置にセットさせるので、羽根２０が予定角度の半開状態となる。
【００１８】
全開状態ならば、図８Ａ、図８Ｂの示すようになる。操作の方式は上段の掲示と同じであるが、連動アングルロッド３０を下へ移動させる距離が拡大される。固定ユニット３１が約長い孔３２の上端位置に入れば、連動アングルロッド３０は下へ移動して、他の羽根２０を同期的に作動させ、一致して半開状態より大きな傾斜角度（約７０〜８０度）まで動かす。ここまでフックロッド４２が回復しているうちに短い端４２１が上方位置の制動溝４１３に入り、羽根２０が予定角度の全開状態となる。
【００１９】
その他、ピン２１および調節プラグ２２は横方向羽根２０の両端の約三分の一の位置に枢設され通過されるので、羽根２０が傾斜の状態となるときにその下端のエッジが重力の影響で回復しようという垂直の作用力が出てくる。その作用力が連動アングルロッド３０に集中するので、連動アングルロッド３０が上へ移動して回復しよう力が発生する。しかし、フックロッド４２が止めユニット４７によるストップで、連動アングルロッド３０の回復力が作動できない。結局、フックロッド４２が連動アングルロッド３０を止めて、予定の位置に保持させる。ユーザがフックロッド４２の長い端４２２を外へ作動すれば、短い端４２１が制動溝４１２又は４１３から離れる。連動アングルロッド３０が制動の状態に入るときに、すべての羽根２０は一致して重力を受けて自動的に垂直線となり、しかも連動アングルロッド３０を上へ動かす。
【００２０】
ユーザが利便に連動アングルロッド３０の移動距離を制御し、特に半開状態のときにより正確に連動アングルロッド３０を制御し、フックロッド４２を中間位置の制動溝４１２に入れるために長い孔３２のエッジにおける連動アングルロッド３０の表面に浮かべマーク５１を追加してもよく、しかも固定ユニット３１の中心を位置決めマークとする。そうすると、羽根２０が半開状態になる場合に浮かべマーク５１が固定ユニット３１の中心と水平に向き合うので、ユーザがそれを目視の参考としてその相対的な位置でフックロッド４２を放す。その結果、フックロッド４２が自動的に回復して、中央位置の制動溝４１２に入る。なお、羽根２０がクローズド又は全開の状態になるときに、長い孔３２が孔の底縁及び孔の上縁で固定ユニット３１につっかいをするので、ユーザもその時点の羽根２０の開閉状態についてはっきり分かる。そして、フックロッド４２が順調に、上位置又は下位置の制動溝４１３、４１２に入る。
【００２１】
要するに、本考案の実施例は羽根を垂直クローズド状態、半開状態（羽根が約３５〜４５度傾斜された状態）、全開状態（羽根が約７０〜８０度傾斜された状態）へ制御し、しかも羽根２０を予定の角度に制動させる。一方、羽根２０の開閉を制御する結構は非常に精密で簡単なので、組み立ての困難度を低下させ、組み立ての人力、作業時間、コストを減らす。また、扁平化した外観で、製品を簡易に折ることができ、収納、包装、運搬される。
【図面の簡単な説明】
【００２２】
【図１】本考案の一実施例による遮蔽結構のついたてを示す外観斜視図である。
【図２】本考案の一実施例による遮蔽結構の局部を示す分解斜視図である。
【図３】本考案の一実施例による遮蔽結構を示す外観斜視図である。
【図４】本考案の一実施例による遮蔽結構を示す分解斜視図である。
【図５】本考案の一実施例による遮蔽結構の制動結構の作動を示す側面図である。
【図６（Ａ）】本考案の一実施例による遮蔽結構の羽根の垂直状態の局部を示す側面図である。
【図６（Ｂ）】図６Ａの６Ｂ−６Ｂラインに沿って見た断面図である。
【図７（Ａ）】本考案の一実施例による遮蔽結構の羽根の半開状態の局部を示す側面図である。
【図７（Ｂ）】図７Ａの７Ｂ−７Ｂラインに沿って見た断面図である。
【図８（Ａ）】本考案の一実施例による遮蔽結構の羽根の全開状態の局部を示す側面図である。
【図８（Ｂ）】図８Ａの８Ｂ−８Ｂラインに沿って見た断面図である。
【符号の説明】
【００２３】
１０  ついたてユニット、４１２  制動溝、１２  サイドフレーム、４１３  制動溝、１３  遮蔽結構、４２  フックロッド、２０  羽根、４２１  短い端、２１  ピン、４２２  長い端、２２  調節プラグ、４３  ユニット、２２１  円いボタン、４４  トークスプリング、２２２  サブプラグロッド、４４１  スプリングの足、２３  エッジ、４４２  スプリングの足、２４  エッジ、４５  遮蔽薄片、３０  連動アングルロッド、４６  固定ユニット、３１  固定ユニット、４７  止めユニット、３２  長い孔、５１  浮かべマーク、３３  ロックスロット、４０  制動結構、４１１  制動溝４１１
【図１】
0003103004.tif 000003
【図２】
0003103004.tif 000004
【図３】
0003103004.tif 000005
【図４】
0003103004.tif 000006
【図５】
0003103004.tif 000007
【図６（Ａ）】
0003103004.tif 000008
【図６（Ｂ）】
0003103004.tif 000009
【図７（Ａ）】
0003103004.tif 000010
【図７（Ｂ）】
0003103004.tif 000011
【図８（Ａ）】
0003103004.tif 000012
【図８（Ｂ）】
0003103004.tif 000013